(57)【要約】【課題】裁断機に使用され、裁断能力の不足によるチャタリングが発生せず、カッターの変形及び刃こぼれを引き起こさず、火花発生による部品寿命短縮及び火災の虞がない分相始動単相モータ制御回路の提供。【解決手段】裁断機（図示せず）の駆動に使用され、始動用の補助巻線５を備える分相始動単相モータ１の駆動制御を行なう分相始動単相モータ制御回路。電源投入後、補助巻線５に第１時間通電する第１通電手段７，７ａ，４２，４３，４５，５１と、第１通電手段が第１時間通電した後、補助巻線５に生じる誘起電圧を検出する手段３１，３２，３５と、その検出した誘起電圧が所定電圧を下回るか否かを判定する判定手段４１と、裁断機が紙を裁断できず、判定手段４１が下回ったと判定したときに、補助巻線５に第２時間通電して、裁断可能とする第２通電手段７，７ａ，４２，４３，４５，５１とを備えている。【選択図】図１
2007124723.tif 000002
【特許請求の範囲】
【請求項１】
紙を細かく裁断する裁断機の駆動に使用され、始動用の補助巻線を備える分相始動単相モータの駆動制御を行なう分相始動単相モータの制御方法において、
電源投入後、前記補助巻線に第１時間通電した後、前記補助巻線に生じる誘起電圧を検出し、検出した誘起電圧が所定電圧を下回るか否かを判定し、前記裁断機が紙を裁断できず、前記誘起電圧が所定電圧を下回ったと判定したときに、前記補助巻線に第２時間通電して、前記紙を裁断可能とすることを特徴とする分相始動単相モータの制御方法。
【請求項２】
紙を細かく裁断する裁断機の駆動に使用され、始動用の補助巻線を備える分相始動単相モータの駆動制御を行なう分相始動単相モータ制御回路において、
電源投入後、前記補助巻線に第１時間通電する第１通電手段と、該第１通電手段が第１時間通電した後、前記補助巻線に生じる誘起電圧を検出する手段と、該手段が検出した誘起電圧が所定電圧を下回るか否かを判定する判定手段と、前記裁断機が紙を裁断できず、前記判定手段が所定電圧を下回ったと判定したときに、前記補助巻線に第２時間通電して、前記紙を裁断可能とする第２通電手段とを備えることを特徴とする分相始動単相モータ制御回路。
【発明の詳細な説明】
【技術分野】
【０００１】
本発明は、裁断機に使用される分相始動単相モータの駆動制御を行なう分相始動単相モータの制御方法及び分相始動単相モータ制御回路に関するものである。
【背景技術】
【０００２】
裁断機（シュレッダ）には、機械式ガバナスイッチを備える分相始動単相モータを、裁断機構の駆動源に使用しているものがある。このような裁断機では、始動時、分相始動単相モータの主巻線に電流を流すと共に、補助巻線に機械式ガバナスイッチを通じて電流を流す。これにより、モータの回転速度が立ち上がると、機械式ガバナスイッチがオフになり、補助巻線の電流が遮断され、以後、主巻線に流れる電流のみで、裁断機構を駆動している。
【０００３】
特許文献１には、補助巻線に誘起される起電圧で補助巻線を切り離す単相誘導電動機の起動制御装置が開示されている。
特許文献２には、補助巻線に誘起される起電圧で補助巻線を切り離す単相誘導電動機用始動装置が開示されている。
特許文献３には、始動後所定時間で補助巻線を切り離す単相誘導電動機の始動用電子回路が開示されている。
特許文献４には、モータ回転速度により補助巻線を切り離すガバナスイッチが開示されている。
【０００４】
特許文献５には、過負荷状態になると、補助巻線に通電して、加速又は再始動するモータ始動制御回路が開示されている。
【特許文献１】特開昭５９−２８８８９号公報
【特許文献２】特開２０００−３２７８６号公報
【特許文献３】特許第２９４８９０２号公報
【特許文献４】特開２００５−１５１６２５号公報
【特許文献５】特開昭６４−４３０８１号公報
【発明の開示】
【発明が解決しようとする課題】
【０００５】
上述した従来の裁断機では、紙の裁断中に裁断機構の能力を超えると、紙を裁断することができず、図３（ａ）に示すように、分相始動単相モータの回転速度が低下する。回転速度が切替速度まで低下すると、機械式ガバナスイッチが再びオンになり（Ｃ）、補助巻線に電流が流れ、分相始動単相モータの出力トルクが大きくなって、再び紙を裁断し始める。
この状態で回転速度が切替速度まで立ち上がると（Ｄ）、機械式ガバナスイッチがオフになる（Ａ）。機械式ガバナスイッチがオフになり（Ａ）、トルクが不足して、紙を裁断できないときは、回転速度が切替速度まで低下するので（Ｂ）、機械式ガバナスイッチが再びオンになる（Ｃ）。
【０００６】
従来の裁断機では、以上により、機械式ガバナスイッチが、図３（ｂ）に示すように、オン、オフを繰り返すチャタリング現象を起こすという問題がある。
また、機械式ガバナスイッチがチャタリング現象を起こすと、分相始動単相モータの出力トルクが脈動して、裁断機のカッターに衝撃力が繰り返し加わり、カッターの変形、刃こぼれを引き起こすという問題がある。
【０００７】
また、このとき、機械式ガバナスイッチは、過負荷状態にある分相始動単相モータに流れる大きな負荷電流の開閉を繰り返すので、機械式ガバナスイッチの接点が開くときに、接点間に火花が生じ、接点寿命が短縮されるという部品寿命の問題、及び紙粉が発生する裁断機での火災に対する安全上の問題がある。
また、機械式ガバナスイッチを取り付けると、分相始動単相モータの外形が大きくなるという問題もある。
尚。機械式ガバナスイッチは、補助巻線に流れる電流を遮断するモータの回転速度を調整することができるが、過負荷時に再度、補助巻線に電流を流す適切な回転速度に、機械式ガバナスイッチの接点がチャタリングを起こさないように調整することは極めて困難である。
【０００８】
本発明は、上述したような事情に鑑みてなされたものであり、第１発明では、裁断機に使用され、裁断能力の不足によるチャタリングが発生せず、カッターの変形及び刃こぼれを引き起こさず、火花発生による部品寿命短縮及び火災の虞がなく、また、分相始動単相モータの小型化を図ることができる分相始動単相モータの制御方法を提供することを目的とする。
第２発明では、裁断機に使用され、裁断能力の不足によるチャタリングが発生せず、カッターの変形及び刃こぼれを引き起こさず、火花発生による部品寿命短縮及び火災の虞がなく、また、分相始動単相モータの小型化を図ることができる分相始動単相モータ制御回路を提供することを目的とする。
【課題を解決するための手段】
【０００９】
第１発明に係る分相始動単相モータの制御方法は、紙を細かく裁断する裁断機の駆動に使用され、始動用の補助巻線を備える分相始動単相モータの駆動制御を行なう分相始動単相モータの制御方法において、電源投入後、前記補助巻線に第１時間通電した後、前記補助巻線に生じる誘起電圧を検出し、検出した誘起電圧が所定電圧を下回るか否かを判定し、前記裁断機が紙を裁断できず、前記誘起電圧が所定電圧を下回ったと判定したときに、前記補助巻線に第２時間通電して、前記紙を裁断可能とすることを特徴とする。
【００１０】
第２発明に係る分相始動単相モータ制御回路は、紙を細かく裁断する裁断機の駆動に使用され、始動用の補助巻線を備える分相始動単相モータの駆動制御を行なう分相始動単相モータ制御回路において、電源投入後、前記補助巻線に第１時間通電する第１通電手段と、該第１通電手段が第１時間通電した後、前記補助巻線に生じる誘起電圧を検出する手段と、該手段が検出した誘起電圧が所定電圧を下回るか否かを判定する判定手段と、前記裁断機が紙を裁断できず、前記判定手段が所定電圧を下回ったと判定したときに、前記補助巻線に第２時間通電して、前記紙を裁断可能とする第２通電手段とを備えることを特徴とする。
【００１１】
第１発明に係る分相始動単相モータの制御方法及び第２発明に係る分相始動単相モータ制御回路では、紙を細かく裁断する裁断機の駆動に使用され、始動用の補助巻線を備える分相始動単相モータの駆動制御を行なう。電源投入後、第１通電手段が、補助巻線に第１時間通電し、第１通電手段が第１時間通電した後、検出する手段が、補助巻線に生じる誘起電圧を検出する。判定手段が、その検出した誘起電圧が所定電圧を下回るか否かを判定し、裁断機が紙を裁断できず、判定手段が所定電圧を下回ったと判定したときに、第２通電手段が、補助巻線に第２時間通電して、紙を裁断可能とする。
【発明の効果】
【００１２】
第１発明に係る分相始動単相モータの制御方法によれば、裁断機に使用され、裁断能力の不足によるチャタリングが発生せず、カッターの変形及び刃こぼれを引き起こさず、火花発生による部品寿命短縮及び火災の虞がなく、また、分相始動単相モータの小型化を図ることができる分相始動単相モータの制御方法を実現することができる。
【００１３】
第２発明に係る分相始動単相モータ制御回路によれば、裁断機に使用され、裁断能力の不足によるチャタリングが発生せず、カッターの変形及び刃こぼれを引き起こさず、火花発生による部品寿命短縮及び火災の虞がなく、また、分相始動単相モータの小型化を図ることができる分相始動単相モータ制御回路を実現することができる。
【発明を実施するための最良の形態】
【００１４】
以下に、本発明を、その実施の形態を示す図面を参照しながら説明する。
図１は、本発明に係る分相始動単相モータの制御方法及び分相始動単相モータ制御回路の実施の形態の要部構成を示すブロック図である。この裁断機の分相始動単相モータ制御回路は、端子Ｕ，Ｖ間に交流電源が与えられ、端子Ｕ，Ｖは、分相始動単相モータ１の主巻線４の両端に接続されている。また、始動制御回路３の端子Ｘ，Ｙ間に交流電源が与えられ、端子Ｘ，Ｙは、始動制御回路３の端子Ｘ１，Ｙ１を各経由して、分相始動単相モータ１の補助巻線５の両端に接続されている。
【００１５】
始動制御回路３は、端子Ｘ，Ｙ間に制御電源回路２０が接続され、制御電源回路２０は、交流電源を制御用の直流電源Ｖccに変換して出力する。
端子Ｘには、抵抗７ｂ及びトライアック（triode AC switch）（第１通電手段、第２通電手段）７の各一方の端子が接続され、抵抗７ｂの他方の端子は、フォトトライアック（第１通電手段、第２通電手段）７ａの二次側の一方の端子に接続され、二次側の他方の端子は、トライアック７のゲートに接続されている。トライアック７の他方の端子は端子Ｘ１に接続されている。
トライアック７の他方の端子及び端子Ｘ１間に、抵抗３１（検出する手段）の一方の端子が接続され、他方の端子は、ダイオード（検出する手段）３２のアノードに接続されている。ダイオード３２のカソードは、ツェナーダイオード３３のカソード、抵抗３４の一方の端子、及び電解コンデンサ（検出する手段）３５の陽極に接続され、ツェナーダイオード３３のアノード、抵抗３４の他方の端子、及び電解コンデンサ３５の陰極は接地されている。
【００１６】
電解コンデンサ３５の陽極電圧Ｅ２が、比較器（判定する手段）４１のマイナス端子に与えられ、比較器４１のプラス端子には、直流電源Ｖccの抵抗２１，２２による分圧Ｅ１が与えられている。
比較器４１の出力端子は、抵抗（第１通電手段、第２通電手段）４２を通じて直流電源Ｖccに、抵抗（第１通電手段、第２通電手段）４３を通じて比較器（第１通電手段、第２通電手段）５１のマイナス端子及び電解コンデンサ（第１通電手段、第２通電手段）４５の陽極に接続されている。電解コンデンサ４５の陰極は接地されている。
【００１７】
ダイオード４４のアノードが比較器４１の出力端子に接続され、カソードは電解コンデンサ４５の陽極に接続されている。
比較器５１のプラス端子には、直流電源Ｖccの抵抗２１，２２による分圧Ｅ１が与えられ、その出力端子は、フォトトライアック７ａの一次側及び抵抗５２を通じて、直流電源Ｖccに接続されている。
【００１８】
以下に、このような構成の分相始動単相モータ制御回路の動作、及び分相始動単相モータの制御方法を、それを示す図２のタイミングチャートを参照しながら説明する。
始動時ｔ０には、端子Ｕ，Ｖ間及び端子Ｘ，Ｙ間に同時に交流電源が供給され始め、これにより、主巻線４に交流電流Ｉｍが流れる（図２（ａ））。
始動時ｔ０に、始動制御回路３の端子Ｘ，Ｙ間に交流電源が供給されると、制御電源回路２０は交流電源を直流電源Ｖccに変換して出力し、直流電源Ｖccの抵抗２１，２２で分圧された電圧Ｅ１は、比較器４１，５１の各プラス端子に与えられる（ｂ）。
【００１９】
この時点では、電解コンデンサ３５は充電されていないので、比較器４１のマイナス端子に入力される電圧Ｅ２は、Ｅ２＜Ｅ１であり（ｂ）、比較器４１の出力電圧Ｅ３はＨレベルとなる（ｃ）。その為、直流電源Ｖccから抵抗４２，４３及びダイオード４４を通じて、充電電流が流れ、コンデンサ４５の充電電圧（陽極電圧）Ｅ４は上昇する（ｄ）。
【００２０】
コンデンサ４５の充電電圧Ｅ４が上昇して、時刻ｔ１で、Ｅ４＞Ｅ１となると（ｄ）、比較器５１の出力電圧Ｅ５はＬレベルになり（ｅ）、直流電源Ｖccから抵抗５２を通じてフォトトライアック７ａの一次側に電流が流れ、フォトトライアック７ａの二次側が導通する。これにより、抵抗７ｂを通じてトライアック７のゲートにゲート電流Ｉｆが流れて、トライアック７が導通し、補助巻線５に交流電流Ｉａが流れ始め（ｆ）、分相始動単相モータ１が始動する。
【００２１】
トライアック７が導通すると、抵抗３１及びダイオード３２を通じて、ツェナーダイオード３３、抵抗３４及び電解コンデンサ３５の並列回路に電流が流れ、電解コンデンサ３５が充電される。これにより、その充電電圧（陽極電圧）Ｅ２が、ツェナーダイオード３３のツェナー電圧でクランプされる迄上昇するが、その上昇途中の時刻ｔ２で、Ｅ２＞Ｅ１に反転する（ｂ）。
Ｅ２＞Ｅ１の状態で、ダイオード３２が遮断状態であるとき（交流電流Ｉｍがマイナスのとき）は、電解コンデンサ３５は、抵抗３４を通じて放電する（（ｂ）では図示を一部省略）が、その充電電圧Ｅ２は、通常の運転状態では、Ｅ１を下回ることはない（ｂ）。
【００２２】
時刻ｔ２で、Ｅ２＞Ｅ１に反転すると（ｂ）、比較器４１の出力電圧Ｅ３はＬレベルになり（ｃ）、電解コンデンサ４５から抵抗４３を通じて放電電流が流れ、その充電電圧Ｅ４は降下する（ｄ）。充電電圧Ｅ４が降下して、時刻ｔ３でＥ４＜Ｅ１に反転し（ｄ）、比較器５１の出力電圧Ｅ５がＨレベルになると（ｅ）、フォトトライアック７ａの一次側に流れる電流が遮断され、フォトトライアック７ａの二次側が非導通になる。これにより、トライアック７のゲート電流Ｉｆが遮断されるので、トライアック７は非導通になり、補助巻線５に流れる交流電流Ｉａは遮断される（ｆ）。（ｔ３−ｔ１＝第１時間）
【００２３】
この状態では、分相始動単相モータ１は、回転速度が所定の回転数以上に立ち上がっているので、主巻線４に流れる電流Ｉｍのみにより（ａ）回転し続ける。その結果、電流Ｉａを遮断された補助巻線５には、分相始動単相モータ１の回転速度に応じた誘起電圧が誘起される。
トライアック７が非導通になると、電解コンデンサ３５の充電電圧Ｅ２は降下するが、抵抗３１及びダイオード３２を通じて与えられる誘起電圧により、Ｅ２＞Ｅ１は維持される（ｂ）。
【００２４】
主巻線４に流れる電流Ｉｍにより（ａ）運転している分相始動単相モータ１は、裁断機で紙の裁断中に裁断能力を超えて過負荷になると、回転速度が低下し、補助巻線５に誘起される誘起電圧が低下する。
補助巻線５に誘起される誘起電圧が低下すると、電解コンデンサ３５に充電電流が供給されなくなり、また、電解コンデンサ３５は、抵抗３４を通じて放電する。その結果、時刻ｔ４で、Ｅ２＜Ｅ１に反転し（ｂ）、比較器４１の出力電圧Ｅ３は上昇し始める（ｃ）。これにより、直流電源Ｖccから抵抗４２，４３及びダイオード４４を通じて、電解コンデンサ４５へ充電電流が流れ始め、電解コンデンサ４５の充電電圧Ｅ４は上昇する（ｄ）。
【００２５】
電解コンデンサ４５の充電電圧Ｅ４が、時刻ｔ５で、Ｅ４＞Ｅ１に反転すると（ｄ）、比較器５１の出力電圧Ｅ５はＬレベルになり（ｅ）、直流電源Ｖccから抵抗５２を通じてフォトトライアック７ａの一次側に電流が流れ、フォトトライアック７ａの二次側が導通する。これにより、抵抗７ｂを通じてトライアック７のゲートにゲート電流Ｉｆが流れて、トライアック７が導通し、補助巻線５に交流電流Ｉａが流れ始め（ｆ）、分相始動単相モータ１の出力トルクが大きくなって、円滑に裁断機が紙を裁断し始める。また、分相始動単相モータ１は、回転速度が上昇するので、拘束されて停止状態になるのを回避することができ、主巻線４に流れる電流Ｉｍが減少して、正常な状態に戻る。
【００２６】
トライアック７が導通すると、抵抗３１及びダイオード３２を通じて、ツェナーダイオード３３、抵抗３４及び電解コンデンサ３５の並列回路に電流が流れ、電解コンデンサ３５が充電される。これにより、その充電電圧Ｅ２が、ツェナーダイオード３３のツェナー電圧でクランプされる迄上昇するが、その上昇途中の時刻ｔ６で、Ｅ２＞Ｅ１に反転する（ｂ）。
Ｅ２＞Ｅ１の状態で、ダイオード３２が遮断状態であるとき（交流電流Ｉｍがマイナスのとき）は、電解コンデンサ３５は、抵抗３４を通じて放電するが、その充電電圧Ｅ２は、通常の運転状態では、Ｅ１を下回ることはない（ｂ）。
【００２７】
時刻ｔ６で、Ｅ２＞Ｅ１に反転すると（ｂ）、比較器４１の出力電圧Ｅ３はＬレベルになり（ｃ）、電解コンデンサ４５から抵抗４３を通じて放電電流が流れ、その充電電圧Ｅ４は降下する（ｄ）。充電電圧Ｅ４が降下して、時刻ｔ７でＥ４＜Ｅ１に反転し（ｄ）、比較器５１の出力電圧Ｅ５がＨレベルになると（ｅ）、フォトトライアック７ａの一次側に流れる電流が遮断され、フォトトライアック７ａの二次側が非導通になる。
これにより、トライアック７のゲート電流Ｉｆが遮断されるので、トライアック７は非導通になり、補助巻線５に流れる交流電流Ｉａは遮断される（ｆ）。以下、同様に、裁断機で紙の裁断中に裁断能力を超えて過負荷になり、回転速度が低下する都度、所定時間（ｔ７−ｔ５＝第２時間）、トライアック７が導通し、補助巻線５に交流電流Ｉａが流して、円滑に裁断機が紙を裁断できるようにする。
【図面の簡単な説明】
【００２８】
【図１】本発明に係る分相始動単相モータの制御方法及び分相始動単相モータ制御回路の実施の形態の要部構成を示すブロック図である。
【図２】本発明に係る分相始動単相モータ制御回路の動作及び分相始動単相モータの制御方法を示すタイミングチャートである。
【図３】従来の分相始動単相モータ制御回路の動作及び分相始動単相モータの制御方法を示すタイミングチャートである。
【符号の説明】
【００２９】
１  分相始動単相モータ
３  始動制御回路
４  主巻線
５  補助巻線
７  トライアック（第１通電手段、第２通電手段）
７ａ  フォトトライアック（第１通電手段、第２通電手段）
７ｂ，２１，２２，３４  抵抗
２０  制御電源回路
３１  抵抗（検出する手段）
３２  ダイオード（検出する手段）
３３  ツェナーダイオード
３５  電解コンデンサ（検出する手段）
４１  比較器（判定する手段）
４２，４３  抵抗（第１通電手段、第２通電手段）
４４  ダイオード
４５  電解コンデンサ（第１通電手段、第２通電手段）
５１  比較器（第１通電手段、第２通電手段）
Ｖcc  直流電源
【図１】
2007124723.tif 000003
【図２】
2007124723.tif 000004
【図３】
2007124723.tif 000005